Podtech/llm-jp-corpus-v4-ja_patent huggingface dataset:
【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
第１結像光を投影するプロジェクタと、
前記プロジェクタから投影された前記第１結像光を受光し、観者が見るための前記受光された第１結像光を反射する偏光ビームスプリッタプレートと、を含み、
前記偏光ビームスプリッタプレートは、第２画像を受光するとともに、前記観者が見るための前記第２画像を透過し、
第１基材と、
前記第１基材に接着された多層光学フィルム反射性偏光子であって、第１偏光状態の偏光を実質的に反射し、前記第１偏光状態に対して垂直な第２偏光状態の偏光を実質的に透過する、多層光学フィルム反射性偏光子と、
第１最外主表面と、
前記第１最外主表面と約２０°未満の角度を形成する反対側の第２最外主表面と、を含み、
前記偏光ビームスプリッタプレートは、前記受光された第１結像光を前記観者に向かって反射し、前記反射された第１結像光は、１２μｍ未満の有効画素解像度を有する、視覚装置。
【請求項２】
前記第２画像は、周囲画像である、請求項１に記載の視覚装置。
【請求項３】
前記偏光ビームスプリッタプレートの前記第１最外主表面と前記第２最外主表面との間の最大間隔に対する前記偏光ビームスプリッタプレートの最小横寸法の比が、１０超である、請求項１に記載の視覚装置。
【請求項４】
前記偏光ビームスプリッタプレートは、前記受光された第１結像光を前記観者又はスクリーンに向かって反射し、前記反射された第１結像光は、９μｍ未満の有効画素解像度を有する、請求項１に記載の視覚装置。
【請求項５】
観者の頭部に装着されるように構成されたフレームと、
前記フレームが観者の頭部に装着されたとき、前記偏光ビームスプリッタプレートが前記観者の目の方を向くとともに、前記プロジェクタが前記観者の頭部の側部に配設されるように、前記フレームに取り付けられた、請求項１に記載の視覚装置と、を含む、頭部装着型投影ディスプレイ。
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
偏光ビームスプリッタであって、
第１ポリマープリズムと、
第２ポリマープリズムと、
前記第１ポリマープリズム及び前記第２ポリマープリズムのそれぞれの斜辺の間に配設され接着された反射型偏光子であり、前記反射型偏光子は、第１偏光状態の偏光を実質的に反射するとともに、相対する第２偏光状態の偏光を実質的に透過する、反射型偏光子と、
前記第１ポリマープリズム及び前記第２ポリマープリズムそれぞれの上に配設されたハードコートと、
入射主表面と、
出射主表面と、を含み、前記入射主表面及び前記出射主表面の少なくとも一方は、少なくとも３Ｈの鉛筆硬度を有し、前記偏光ビームスプリッタは、偏光状態の偏光が前記入射主表面から前記光学要素に入り、少なくとも２ｍｍの前記偏光ビームスプリッタを通って進み、前記出射主表面から前記偏光ビームスプリッタを出るとき、前記偏光ビームスプリッタを出る光の少なくとも９５％が偏光され、前記偏光状態を有するような、低複屈折率を有する、偏光ビームスプリッタ。
【請求項２】
光学要素を製造する方法であって、
頂部表面を有する頂部ポリマーシート、底部表面を有する底部ポリマーシート、並びに前記頂部ポリマーシートと前記底部ポリマーシートの間に配設され接着された光学フィルムを含む、アセンブリを用意する工程と、
前記頂部ポリマーシートの前記頂部表面、及び前記底部ポリマーシートの前記底部表面を改質して、複数の頂部構造体及び頂部表面粗さを有する頂部構造化表面、並びに複数の底部構造体及び底部表面粗さを有する底部構造化表面を生じさせる工程と、
トップコーティングを前記頂部構造化表面に適用することにより、複数のトップコーティング済み構造体と前記頂部表面粗さ未満のトップコーティング済み表面粗さとを有するトップコーティング済構造化表面を生じさせ、並びに、ボトムコーティングを前記底部構造化表面に適用することにより、複数のボトムコーティング済み構造体と前記底部表面粗さ未満のボトムコーティング済み表面粗さとを有するボトムコーティング済構造化表面を生じさせて、コーティング済みアセンブリを形成する工程と、
前記コーティング済みアセンブリを前記コーティング済みアセンブリの横方向に沿って少なくとも２つの別個の断片に細分化して、前記光学要素を形成する工程と、を含む、方法。
【請求項３】
前記アセンブリを用意する工程は、
一時的平坦基材を用意することと、
前記光学フィルムの第１表面を前記一時的平坦基材に着脱自在に取り付けることと、
前記頂部ポリマーシート又は前記底部ポリマーシートを前記光学フィルムの相対する第２表面に接着させることと、
前記光学フィルムを前記一時的平坦基材から取り除くことと、を含む、請求項２に記載の方法。
【請求項４】
前記光学要素は、偏光ビームスプリッタである、請求項２に記載の方法。
【手続補正書】
【提出日】平成28年5月27日(2016.5.27)
【手続補正１】
【補正対象書類名】特許請求の範囲
【補正対象項目名】全文
【補正方法】変更
【補正の内容】
【特許請求の範囲】
【請求項１】
ａ）フォトレジスト成分と、
ｂ）次式のペルフルオロポリエーテルシランであって
（ＲＰＦＰＥ−Ｘ１−ＣＯ−ＮＨ）ｘ−Ｒ１−（ＮＨ−ＣＯ−Ｘ２−Ｒシリル）ｙ、
式中、
ＲＰＦＰＥは、式ＲＰＦＰＥ＊−Ｑの基を表し、ＲＰＦＰＥ＊は一価のペルフルオロポリエーテル基であり、Ｑは、二価のアルキレン基であり、前記アルキレンは場合により１個以上のカテナリー（鎖中）窒素又は酸素原子を含有し、場合により１個以上のスルホンアミド、カルボキシアミド、又はカルボキシ官能基を含有し、
Ｘ１及びＸ２は、独立して、−Ｏ−、−Ｓ−、又は−ＮＲ２−であり、Ｒ２はＨ又はＣ１〜Ｃ４アルキルであり、
Ｒ１は、ポリイソシアネートの残基であり、
Ｒシリルは、１つ以上のシリル基を含有するシラン基含有部分であり、
下付き文字ｘ及びｙはそれぞれ独立して１〜６である、ペルフルオロポリエーテルシランと、
ｃ）光開始剤と、を含み、
前記フォトレジスト成分が、ソルダーレジストである、光硬化性組成物。
【請求項２】
１００重量部の前記フォトレジスト成分に対して、０．１〜５重量部の前記ペルフルオロポリエーテルシラン化合物を含む、請求項１に記載の光硬化性組成物。
【請求項３】
前記ペルフルオロポリエーテル基ＲＰＦＰＥ＊が、式
Ｒｆ１−Ｏ−Ｒｆ２−（Ｒｆ３）ｑ−であり、式中、Ｒｆ１はペルフルオロアルキル基を表し、Ｒｆ２はＣ１〜Ｃ４ペルフルオロアルキレンオキシ基又はこれらの混合物を表し、Ｒｆ３は全フッ素化アルキレン基を表し、ｑは０〜１である、請求項１に記載の光硬化性組成物。
【請求項４】
Ｒｆ１が、Ｆ−ＣｎＦ２ｎ−、Ｆ−ＣＦ（Ｚ）−、Ｆ−ＣＦ（Ｚ）ＣｎＦ２ｎ−、Ｆ−ＣｎＦ２ｎＣＦ（Ｚ）−、Ｆ−ＣＦ２ＣＦ（Ｚ）−、及びこれらの組み合わせからなる群から選択される１つ以上の全フッ素化された繰返し単位を含む一価のペルフルオロアルキル基であり、式中、ｎは１〜４であり、Ｚはペルフルオロアルキル基又はペルフルオロアルコキシ基である、請求項３に記載の光硬化性組成物。
【請求項５】
前記Ｒｆ２が、−（ＣＦ２−ＣＦ２−Ｏ）ｒ−；−（ＣＦ（ＣＦ３）−ＣＦ２−Ｏ）ｓ−；−（ＣＦ２ＣＦ２−Ｏ）ｒ−（ＣＦ２Ｏ）ｔ−、−（ＣＦ２ＣＦ２ＣＦ２ＣＦ２−Ｏ）ｕ及び−（ＣＦ２−ＣＦ２−Ｏ）ｒ−（ＣＦ（ＣＦ３）−ＣＦ２−Ｏ）ｓ−のうちの１つ以上から選択され、式中、ｒ、ｓ、ｔ及びｕはそれぞれ１〜５０の整数である、請求項３に記載の光硬化性組成物。
【請求項６】
Ｒシリルが式
−Ｒ４−Ｓｉ（Ｙ）ｐ（Ｒ３）３−ｐであり、式中
Ｒ４は二価のアルキレン基であり、該アルキレン基は１個以上のカテナリー酸素原子を場合により含有し、Ｙは加水分解性基であり、Ｒ３は一価のアルキル又はアリール基であり、ｐは１、２又は３である、請求項１に記載の光硬化性組成物。
【請求項７】
Ｒシリルが式
Ｘ−（Ｍシリル）ａ−（Ｍ２）ｂ−Ｓ−Ｒ４−
であり、式中、
Ｘは、Ｈ、又は反応開始剤の残基であり、
Ｍシリルは、ペンダントシリル基を有する（メタ）アクリレートモノマーの残基であり、
Ｍ２は、（メタ）アクリレートエステルモノマーの残基であり、
Ｒ４は、二価のアルキレン若しくはアリーレン基、又はこれらの組み合わせであり、該アルキレン基は、１個以上のカテナリー酸素原子を場合により含有し、
ａは、少なくとも２であり、ｂは０であってもよく、ａ＋ｂは２〜２０である、請求項１に記載の光硬化性組成物。
【請求項８】
前記Ｍシリルモノマー単位が次式のモノマーから誘導され、
【化１】
2015532722.tif 000001
式中、
Ｒ２は、Ｈ又はＣ１〜Ｃ４アルキルであり、
Ｒ６は二価のアルキレン基であり、該アルキレン基は１個以上のカテナリー酸素原子を場合により含有し、Ｙは加水分解性基であり、Ｒ３は一価のアルキル又はアリール基であり、ｐは１、２又は３である、請求項７に記載の光硬化性組成物。
【請求項９】
Ｒシリル基に対するＲＰＦＰＥ基の当量比が１：１〜１：１０である、請求項１に記載の光硬化性組成物。
【請求項１０】
Ｒシリルが式
【化２】
2015532722.tif 000002
であり、式中、
Ｘ３は、−Ｏ−、−Ｓ−又は−ＮＲ２−であり、Ｒ２はＨ又はＣ１〜Ｃ４アルキルであり、
Ｒ５は、多価のアルキレン若しくはアリーレン基、又はこれらの組み合わせであり、該アルキレン基は１個以上のカテナリー酸素原子を場合により含有し、
Ｒ６は、二価のアルキレン基であり、該アルキレン基は１個以上のカテナリー酸素原子を場合により含有し、
Ｙは、加水分解性基であり、
Ｒ３は、一価のアルキル又はアリール基であり、
ｐは、１、２、又は３、好ましくは３であり、
ｏは１〜５である、請求項１に記載の光硬化性組成物。
【請求項１１】
１００重量部の前記フォトレジスト成分を基準にして、５〜４０重量部の量で熱硬化性樹脂を更に含む、請求項１に記載の光硬化性組成物。
【請求項１２】
ａ）金属性ベース基材又はプリント回路基板基材と、
ｂ）フォトツールと、
ｃ）その間に配置された請求項１に記載の光硬化性層と、を含む、多層物品。
【請求項１３】
前記フォトツールの表面上に配置されたハードコートを更に含む、請求項１２に記載の多層物品。
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
ドライバモジュールと、受信器モジュールとを備える処理システムであって、
前記ドライバモジュールは、複数の送信器電極に結合されたドライバ回路を有し、前記ドライバモジュールは、第１期間中に前記複数の送信器電極のうちの第１の送信器電極に第１の電圧を印加し、第２期間中に前記第１の送信器電極に第２の電圧を印加し、第３期間中に前記第１の送信器電極に第３の電圧を印加するように構成されており、前記第１の電圧が前記第２の電圧よりも高く、前記第２の電圧が前記第３の電圧よりも高く、
前記受信器モジュールは、複数の受信器電極に結合されており、前記第１の電圧、前記第２の電圧及び前記第３の電圧が前記第１の送信器電極に印加されている間、前記複数の受信器電極で、結果信号を受信するように構成されている、処理システム。
【請求項２】
前記複数の送信器電極の各々は、ディスプレイ装置の少なくとも１つの共通電極を含む、請求項１に記載の処理システム。
【請求項３】
前記ドライバモジュールは、さらに、第４期間中に前記第１の送信器電極に第４の電圧を印加するように構成されており、前記第３の電圧は前記第４の電圧よりも高い、請求項１又は２に記載の処理システム。
【請求項４】
前記ドライバモジュールは、さらに、第１のセトリング応答に関連した第１の容量性ピクセルと、第２のセトリング応答に関連した第２の容量性ピクセルに結合するよう構成されており、前記第１の容量性ピクセルは、前記第１の送信器電極と、前記複数の受信器電極のうちの第１の受信器電極とを備え、
前記第１の電圧は、前記第１の容量性ピクセルの終了電圧よりも高く、
前記第１の電圧及び前記第２の電圧は、前記第１のセトリング応答及び前記第２のセトリング応答に応じて選択される、請求項１又は２に記載の処理システム。
【請求項５】
複数の送信器電極と、
複数の受信器電極と、
前記複数の送信器電極と前記複数の受信器電極とに結合された処理システムと
を備える入力装置であって、
前記処理システムは、第１期間中に前記複数の送信器電極のうちの第１の送信器電極に第１の電圧を印加し、第２期間中に前記第１の送信器電極に第２の電圧を印加し、第３期間中に前記第１の送信器電極に第３の電圧を印加するように構成されており、前記第１の電圧は前記第２の電圧よりも高く、前記第２の電圧は前記第３の電圧よりも高く、
前記処理システムは、前記第１の電圧、前記第２の電圧及び前記第３の電圧が前記第１の送信器電極に印加されている間、前記複数の受信器電極で、結果信号を受信するように構成されている、入力装置。
【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
テキストメッセージをコンピューティングデバイスとメッセージ同期サービスとの間で同期させるための方法であって、
メッセージ同期サービスにおいて、コンピューティングデバイスから、サービスと同期させるメッセージを受信するステップであって、前記サービスと同期させるメッセージが、テキストメッセージに関連付けられたテキストメッセージコンテンツと、前記サービスと同期させるメッセージ内において、注釈または拡張ヘッダーのうちの少なくとも１つ内に記憶される拡張プロパティとを含む、受信するステップと、
前記メッセージ同期サービスにおいて、前記サービスと同期させるメッセージに基づいて、同期したテキストメッセージを作成するステップであって、前記同期したテキストメッセージが、前記拡張プロパティを含み、前記サービスと同期させるメッセージが、前記テキストメッセージを完全な忠実度で同期サービスと同期させる、作成するステップと
を含む、方法。
【請求項２】
前記メッセージ同期サービスにおいて、前記同期したテキストメッセージのための、前記コンピューティングデバイスからのダウンロードコマンドの受信に応答して、前記同期したテキストメッセージに関連付けられた前記テキストメッセージコンテンツおよび前記拡張プロパティを含む、デバイスと同期させるメッセージを作成するステップであって、前記拡張プロパティが、前記デバイスと同期させるメッセージ内において、第２の注釈または第２の拡張ヘッダーのうちの少なくとも１つ内に記憶される、作成するステップと、
前記メッセージ同期サービスにおいて、前記同期したテキストメッセージを、前記拡張プロパティを含む復元テキストメッセージとして復元するために、前記デバイスと同期させるメッセージを前記コンピューティングデバイスに送信するステップと
を含む、請求項１に記載の方法。
【請求項３】
前記メッセージ同期サービスにおいて、前記コンピューティングデバイスとは異なる第２のコンピューティングデバイスからのダウンロードコマンドの受信に応答して、前記同期したテキストメッセージに関連付けられた前記テキストメッセージコンテンツおよび前記拡張プロパティを含む、デバイスと同期させるメッセージを作成するステップであって、前記拡張プロパティが、前記デバイスと同期させるメッセージ内において、第２の注釈または第２の拡張ヘッダーのうちの少なくとも１つ内に記憶される、作成するステップと、
前記メッセージ同期サービスにおいて、前記デバイスと同期させるメッセージを、前記第２のコンピューティングデバイスに送信するステップと
を含む、請求項１に記載の方法。
【請求項４】
前記メッセージ同期サービスにおいて、電子メールサービスからのダウンロードコマンドの受信に応答して、前記同期したテキストメッセージに関連付けられた前記テキストメッセージコンテンツおよび前記拡張プロパティを含む、電子メールサービスと同期させるメッセージを作成するステップであって、前記拡張プロパティが、前記電子メールと同期させるメッセージ内において、第２の注釈または第２の拡張ヘッダーのうちの少なくとも１つ内に記憶される、作成するステップと、
前記メッセージ同期サービスにおいて、前記電子メールサービスを通して、前記同期したテキストメッセージへのユーザーアクセスを促進するために、前記電子メールサービスと同期させるメッセージを前記電子メールサービスに送信するステップと
を含む、請求項１に記載の方法。
【請求項５】
アップロードコンポーネントを含む、マルチメディアメッセージサービス（ＭＭＳ）メッセージをコンピューティングデバイスとメッセージ同期サービスとの間で同期させるためのシステムであって、
前記アップロードコンポーネントが、
ＭＭＳコンテンツを、サービスと同期させるメッセージの中に記憶することと、
前記ＭＭＳコンテンツを含むＭＭＳメッセージの拡張プロパティを、前記サービスと同期させるメッセージ内において、注釈、スキーマヘッダー、または拡張ヘッダーのうちの少なくとも１つ内に記憶することと
を含んで、前記ＭＭＳメッセージに関連付けられた、前記サービスと同期させるメッセージを生成するように、および
前記ＭＭＳメッセージを、前記拡張プロパティを含む同期したＭＭＳメッセージとして記憶するために、前記ＭＭＳメッセージを完全な忠実度で同期サービスと同期させる前記サービスと同期させるメッセージを、メッセージ同期サービスに送信するように構成されている、
システム。
【請求項６】
前記アップロードコンポーネントが、ＭＭＳメッセージを、アップロードすること、ダウンロードすること、または同期させることのうちの少なくとも１つをサポートするために変更されたメッセージ同期プロトコルを利用するように構成されている、
請求項５に記載のシステム。
【請求項７】
前記メッセージ同期サービスによって記憶された前記同期したＭＭＳメッセージに関連付けられたＭＭＳコンテンツと、
デバイスと同期させるメッセージ内において、注釈、スキーマヘッダー、または拡張ヘッダーのうちの少なくとも１つ内に記憶される、前記同期したＭＭＳメッセージの前記拡張プロパティと
を含む、前記デバイスと同期させるメッセージを、前記メッセージ同期サービスから受信するように、および
ローカルＭＭＳメッセージングアプリケーションによる使用のための第２の同期したＭＭＳメッセージを、前記拡張プロパティを含む復元ＭＭＳメッセージとして復元するように構成された
ダウンロードコンポーネントを含む、
請求項５に記載のシステム。
【請求項８】
前記アップロードコンポーネントまたは前記ダウンロードコンポーネントのうちの少なくとも１つが、ＭＭＳメッセージクラスまたはＭＭＳメッセージタイプのうちの少なくとも１つに基づいて、１つまたは複数の拡張プロパティをサポートするために変更されたＥｘｃｈａｎｇｅ  ＡｃｔｉｖｅＳｙｎｃプロトコルを利用するように構成されている、
請求項７に記載のシステム。
【請求項９】
電子メールサービスを通して、前記メッセージ同期サービスによって維持される前記同期したＭＭＳメッセージへのアクセスを提供するように構成された電子メールアクセスコンポーネントを含む、
請求項５に記載のシステム。
【請求項１０】
前記アップロードコンポーネントまたは前記ダウンロードコンポーネントのうちの少なくとも１つが、ＭＭＳメッセージ本文内において、注釈、スキーマヘッダー、または拡張ヘッダーのうちの少なくとも１つ内で定義される、１つまたは複数の拡張プロパティをサポートするために変更されたＥｘｃｈａｎｇｅ  ＡｃｔｉｖｅＳｙｎｃプロトコルを利用するように構成されている、
請求項７に記載のシステム。
【手続補正書】
【提出日】平成28年8月12日(2016.8.12)
【手続補正１】
【補正対象書類名】特許請求の範囲
【補正対象項目名】全文
【補正方法】変更
【補正の内容】
【特許請求の範囲】
【請求項１】
方法であって、
第１の列によってグループ化されたデータを集約することを求める要求を受けることと、
前記要求を受けたことに応じて、前記第１の列から入力キャッシュに値をロードすることとを含み、前記入力キャッシュにロードされる値は、前記第１の列における一組の行の値を含み、
前記第１の列における第１の行の特定の値と、前記第１の列における前記一組の行のうちの複数の行の値との比較を実行するようにロジックを用いて回路をプログラミングしてフィルタリングユニットの再構成可能なハードウェアにすることと、
前記特定の値と前記第１の列における前記複数の行の値との比較に基づいて、前記第１の列における前記複数の行のうち、前記特定の値と一致する値を有する行を特定する宣言結果を生成することと、
前記宣言結果によって特定された行それぞれの、第２の列における値を集約することにより、前記第２の列についての集約値を生成することとを含み、
前記方法は１つ以上の計算装置によって実行される、方法。
【請求項２】
前記宣言結果はビットベクトルであり、前記ビットベクトルの各ビットは、前記一組の行のうちの対応する行に対応し、
前記宣言結果を生成することは、
前記ビットベクトルのビットを、前記対応する行の値が前記特定の値に一致するときは第１のビット値に設定することと、
前記ビットベクトルのビットを、前記対応する行の値が前記特定の値に一致しないときは第２のビット値に設定することとを含む、請求項１に記載の方法。
【請求項３】
前記ビットベクトルは一組のビットベクトルのうちの第１のビットベクトルであり、
前記方法はさらに、
前記一組の行から、前記一組のビットベクトルのうちいずれかのビットベクトルにおいて、前記対応するビットが前記第１のビット値に設定されていない第２の行を選択することと、
前記第１の列における第２の行の第２の値と、前記第１の列における前記一組の行のうちの第２の複数の行の値との比較を実行するようにロジックを用いて第２の回路をプログラミングして前記フィルタリングユニットの再構成可能なハードウェアにすることと、
前記第２の値と前記第１の列における前記第２の複数の行の値との比較に基づいて、前記第１の列における前記第２の複数の行のうち、前記第２の値と一致する値を有する行を特定する第２のビットベクトルを生成することと、
前記第２のビットベクトルによって特定された行それぞれの、前記第２の列における値を集約することにより、前記第２の列についての第２の集約値を生成することとを含む、請求項２に記載の方法。
【請求項４】
前記第２の、他の複数の行は、対応するビットが前記一組のビットベクトルのうちのいずれのビットベクトルにおいても前記第１のビット値に設定されていない行である、請求項３に記載の方法。
【請求項５】
前記一組のビットベクトルのうちいずれかのビットベクトルにおいて、前記対応するビットが前記第１のビット値に設定されていないか否か判断することは、前記一組のビットベクトルのうちの１つ以上のビットベクトルに対して、ビット単位のＮＯＴ演算とビット単位のＸＯＲ演算のうちの少なくとも一方を実行することにより、対応するビットが前記第１のビット値に設定されていない行を特定するビットベクトルマスクを生成することを含む、請求項３に記載の方法。
【請求項６】
前記要求において指定された集約動作を実行するように集約ユニットをプログラミングすることをさらに含み、
前記宣言結果によって特定された行それぞれの、第２の列における値を集約することは、前記集約ユニットに、前記集約動作を前記第２の列における値に対して適用させることを含む、請求項１〜５のいずれか１項に記載の方法。
【請求項７】
前記特定の値によって特定されるグループ名と、
前記宣言結果によって特定された行それぞれの、前記第２の列における値を集約することによって生成された前記集約値とを含む、結果を出力することをさらに含む、請求項１〜６のいずれか１項に記載の方法。
【請求項８】
前記宣言結果を一組のメモリアドレスに変換することをさらに含み、
前記一組のメモリアドレスのうちの各メモリアドレスは、第１のグループの一部である行の記憶場所を特定する、請求項１〜７のいずれか１項に記載の方法。
【請求項９】
１つ以上のプロセッサにより実行されると、請求項１〜８のいずれか１項に記載の方法を実行させる命令を含むコンピュータ読取可能なプログラム。
【請求項１０】
グループ化および集約動作を実行するためのシステムであって、
制御ユニットを備え、前記制御ユニットは、
第１の列によってグループ化されたデータを集約することを求める要求を受けるように構成され、
前記第１の列から入力キャッシュに値をロードさせるように構成され、前記入力キャッシュにロードされる値は、前記第１の列における一組の行の値を含み、前記制御ユニットはさらに、
前記第１の列における第１の行の特定の値と、前記第１の列における前記一組の行のうちの複数の他の行の値とを比較するように回路をプログラミングしてフィルタユニットの再構成可能なハードウェアにするように構成され、
フィルタユニットを備え、前記フィルタユニットは、
前記第１の列における第１の行の特定の値と、前記第１の列における前記一組の行のうちの複数の他の行の値とを比較するように構成され、かつ、
前記比較に基づいて、前記第１の列における前記複数の行のうち、前記特定の値と一致する値を有する行を特定するビットベクトルを生成するように構成され、
集約ユニットを備え、前記集約ユニットは、
前記ビットベクトルによって特定された行それぞれの、第２の列における値を集約することにより、前記第２の列についての集約値を生成するように構成される、システム。
【請求項１１】
前記フィルタユニットによって生成された前記ビットベクトルの各ビットは、前記一組の行のうちの対応する行に対応し、
前記ビットベクトルを生成するために、前記フィルタユニットは、
前記ビットベクトルのビットを、前記対応する行の値が前記特定の値に一致するときは第１のビット値に設定するように構成され、かつ、
前記ビットベクトルのビットを、前記対応する行の値が前記特定の値に一致しないときは第２のビット値に設定するように構成される、請求項１０に記載のシステム。
【請求項１２】
前記ビットベクトルを一組のメモリアドレスに変換するように構成されたアドレス生成器をさらに備え、
前記一組のメモリアドレスのうちの各メモリアドレスは、第１のグループの一部である行の記憶場所を特定する、請求項１０または１１に記載のシステム。
【手続補正書】
【提出日】平成28年3月22日(2016.3.22)
【手続補正１】
【補正対象書類名】特許請求の範囲
【補正対象項目名】全文
【補正方法】変更
【補正の内容】
【特許請求の範囲】
【請求項１】
無機コーティングで被覆された裸導体を備える表面改質オーバーヘッド導体であって、ANSI C119.4-2004に従って試験されたとき、前記表面改質オーバーヘッド導体の動作温度が、同じ電流の下で、放熱剤を含まない、非改質オーバーヘッド導体の動作温度と比較したとき、少なくとも5℃だけ低下し、前記コーティングは0.5以上の放射率係数を有する、表面改質オーバーヘッド導体。
【請求項２】
前記コーティングのL*値が80未満である、請求項1に記載の表面改質オーバーヘッド導体。
【請求項３】
前記コーティングが、約0.75以上の放射率係数を有する、請求項1又は2に記載の表面改質オーバーヘッド導体。
【請求項４】
前記コーティングが、総乾燥コーティングの重量で、5%未満の有機材料を含む、請求項1ないし3のいずれか1項に記載の表面改質オーバーヘッド導体。
【請求項５】
前記コーティングが5ミクロンから100ミクロンの厚さを有する、請求項1ないし4のいずれか1項に記載の表面改質オーバーヘッド導体。
【請求項６】
前記コーティングが放熱剤及び結合剤を含む、請求項1ないし5のいずれか1項に記載の表面改質オーバーヘッド導体。
【請求項７】
a.裸導体を調製することと、
b.前記導体を浸液式ダイに通し、次いでポストコーティング空気ワイプに通すことによって、被覆された導体を形成するために、前記導体の表面に液体コーティング混合物を塗布することと、
c.前記被覆された導体を乾燥させることと
を含む、表面改質オーバーヘッド導体を作製するための方法。
【請求項８】
裸導体を調製することが、前記導体をサンドブラストすることと、前記サンドブラストされた導体をプレコーティング空気ワイプに通すこととを含む、請求項7に記載の方法。
【請求項９】
前記プレコーティング空気ワイプおよび前記ポストコーティング空気ワイプの一方あるいは両方の後に、前記導体を加熱することをさらに含む、請求項8に記載の方法。
【請求項１０】
前記加熱するステップが、直火への曝露によるものである、請求項9に記載の方法。
【請求項１１】
請求項1ないし6のいずれか1項に記載の表面改質オーバーヘッド導体を作製するための方法。
【請求項１２】
表面改質オーバーヘッド導体であって、
裸導体と、
実質的に無機でかつ乾燥したコーティング層であって、乾燥重量で、約20％から約60％の結合剤と、放熱剤とを含み、かつ、約0.4以上の日射吸収係数を有し、かつ、前記結合剤はケイ酸を含み、前記コーティング層は前記裸導体を被覆する、コーティング層と、
を備え、
ANSI C119.4-2004に従って試験されたとき、前記表面改質オーバーヘッド導体の動作温度は、被覆されずかつ同じ電流が加えられたときの前記裸導体の動作温度よりも低い、表面改質オーバーヘッド導体。
【請求項１３】
前記結合剤は、ケイ酸ナトリウム、ケイ酸カリウム、ケイ酸リチウムおよびこれらの組み合わせからなる群から選ばれた金属ケイ酸を含む、請求項6又は12に記載の表面改質オーバーヘッド導体。
【請求項１４】
前記無機コーティングは塗布されるときに水性である、請求項1,2,3,4,5,6,12,13のいずれか1項に記載の表面改質オーバーヘッド導体。
【請求項１５】
7日間の325℃での熱老化後にマンドレル曲げ試験に合格する、請求項1,2,3,4,5,6,12,13,14のいずれか1項に記載の表面改質オーバーヘッド導体。
【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
発光トランジスタデバイスであって、
基板と、
ゲート電極と、
１つ以上の有機副層を含むチャネル層であって、前記１つ以上の有機副層が、
電子輸送半導体材料を含む第１の副層、
正孔輸送半導体材料を含む第２の副層、および
エレクトロルミネッセンス半導体材料を含み前記第１の副層と前記第２の副層との間に配置される第３の副層、
を含むチャネル層と、
前記ゲート電極と前記チャネル層との間に配置されるゲート絶縁層と、
正孔電極および電子電極であって、前記正孔電極を通過して正電荷キャリアが前記チャネル層に注入され、前記電子電極を通過して負電荷キャリアが前記チャネル層に注入され、前記正孔電極および前記電子電極は、それらの間のチャネル領域の長さ（Ｌ）を画定する平面距離で互いに離れて配置され、前記正孔電極が前記チャネル層の前記第２の副層に接触し、前記電子電極が前記チャネル層の前記第１の副層に接触している正孔電極および電子電極と、
を含み、
前記チャネル層は、前記正孔電極と前記チャネル層の前記第１の副層との間に配置される第１の電気絶縁素子、および、前記電子電極と前記チャネル層の前記第２の副層との間に配置される第２の電気絶縁素子をさらに含み、前記第１の電気絶縁素子および前記第２の電気絶縁素子は、前記チャネル領域の長さより短い平面距離で互いに離れて配置され、
第１のバイアス電圧が前記ゲート電極に印加されると共に、前記電子電極と前記正孔電極との間で第２のバイアス電圧が維持され、当該発光トランジスタデバイスは、前記第３の副層の平面に平行なストライプとして発光するよう構成されている、
発光トランジスタデバイス。
【請求項２】
前記第１の電気絶縁素子および／または前記第２の電気絶縁素子が前記第３の副層に接触している、請求項１に記載のデバイス。
【請求項３】
前記第１の電気絶縁素子および前記第２の電気絶縁素子の両方が前記第３の副層中に配置される、請求項１に記載のデバイス。
【請求項４】
前記第１の電気絶縁素子が前記第２の副層と前記第３の副層との間の界面に配置され、前記第２の電気絶縁素子が前記第１の副層と前記第３の副層との間の界面に配置される、請求項１に記載のデバイス。
【請求項５】
前記電子電極が前記第２の電気絶縁素子に接触している、請求項４に記載のデバイス。
【請求項６】
前記電子電極が前記第１の副層中に配置され、および／または、前記正孔電極は前記第２の副層中に配置される、請求項５に記載のデバイス。
【請求項７】
前記正孔電極が前記第１の電気絶縁素子に接触している、請求項６に記載のデバイス。
【請求項８】
前記第１の電気絶縁素子および前記第２の電気絶縁素子の両方が前記第１の副層と前記第３の副層との間の界面に配置される、請求項１に記載のデバイス。
【請求項９】
前記第１の電気絶縁素子および前記第２の電気絶縁素子の両方が前記第２の副層と前記第３の副層との間の界面に配置される、請求項１に記載のデバイス。
【請求項１０】
前記第１の電気絶縁素子、前記第２の電気絶縁素子、および前記エレクトロルミネッセンス半導体材料を合わせたものが前記第３の副層を構成している、請求項１に記載のデバイス。
【請求項１１】
前記電子輸送半導体材料と前記電子電極との間に堆積された電子注入層をさらに含む、請求項１に記載のデバイス。
【請求項１２】
前記正孔輸送半導体材料と前記正孔電極との間に堆積された正孔注入層をさらに含む、請求項１に記載のデバイス。
【請求項１３】
前記チャネル層の上面を覆うパッシベーション層をさらに含む、請求項１に記載のデバイス。
【請求項１４】
前記基板が、前記基板の表面上に堆積された表面改質材料を含む、請求項１に記載のデバイス。
【請求項１５】
前記ゲート電極が、Ｌと同じ長さ（ＬG）を有し、前記ゲート電極の端部が、前記正孔電極の端部および前記電子電極の端部の位置と合わせられる、請求項１に記載のデバイス。
【請求項１６】
前記ゲート電極がＬを超える長さ（ＬG）を有し、前記ゲート電極の少なくとも１つの端部が前記正孔電極および前記電子電極の一方と重なり合う、請求項１に記載のデバイス。
【請求項１７】
互いに相互接続され基板上に堆積された、請求項１〜１６のいずれか一項に記載の複数の同一または異なる発光トランジスタデバイスを含む、画像を形成するための光電子デバイス。
【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
電気化学エネルギー貯蔵器用の添加剤であって、前記エネルギー貯蔵器内でフッ素含有化合物Ｖ２に接触した状態で、ケイ素およびフッ素を含有しリチウムを含まない化合物Ｖ３ａ、アルカリ土類金属およびフッ素を含有しリチウムを含まない化合物Ｖ３ｂ、ケイ素、アルカリ土類金属、およびフッ素を含有しリチウムを含まない化合物Ｖ３ｃ、ならびにこれらの組合せからなる群から選択される少なくとも１種の化合物Ｖ３を形成する少なくとも１種のケイ素およびアルカリ土類金属含有化合物Ｖ１を含有し、前記化合物Ｖ１がガラス粉末であり、特に少なくとも１種のアルカリ土類金属酸化物および二酸化ケイ素をガラス組成物構成成分として含有するガラス粉末であり、前記ガラス粉末が、下記のガラス組成物構成成分（単位  重量％）：
ＳｉＯ２                  １５〜７５
ＢａＯ                    ０〜８０
ＺｒＯ２                  ０〜１５
Ｌｉ２Ｏ                  ０〜２５
Ｐ２Ｏ５                  ０〜２０
Ａｌ２Ｏ３                ０〜１０
ＣａＯ                    ０〜３０
ＭｇＯ                    ０〜３０
ＭｇＯ＋ＢａＯ＋ＣａＯ        ２０以上
ＮｉＯ                    ０〜１０
ＰｂＯ                    ０〜１０
ＺｎＯ                    ０〜１０
Ｆ                        ０〜５
を有する電気化学エネルギー貯蔵器用の添加剤。
【請求項２】
前記化合物Ｖ１が、少なくとも下記の構成成分（単位  重量％）：
ＳｉＯ２      ０超１００未満、好ましくは４０超７０未満、
ＭＯ        ０超１００未満、好ましくは３０超６０未満
を含み、Ｍがアルカリ土類金属元素からなる群から選択される粉末であることを特徴とする、請求項１に記載の添加剤。
【請求項３】
アルカリ土類金属酸化物と二酸化ケイ素とのモル比が、０．４５から１．０以下、好ましくは０．６５から１．０以下であることを特徴とする、請求項１または２に記載の添加剤。
【請求項４】
前記化合物Ｖ１が、下記のガラス組成物構成成分（単位  重量％）：
ＳｉＯ２            １５〜４５
ＢａＯ              １０〜８０
ＺｒＯ２              ０〜１５
Ｌｉ２Ｏ              ０〜２５
Ｐ２Ｏ５              ０〜２０
Ａｌ２Ｏ３            ０〜１０
ＣａＯ                ０〜３０
ＭｇＯ                ０〜３０
ＭｇＯ＋ＢａＯ＋ＣａＯ       ３０以上
ＮｉＯ                ０〜１０
ＰｂＯ                ０〜１０
ＺｎＯ                ０〜１０
Ｆ                    ０〜５
を有するガラス粉末であることを特徴とする、請求項１に記載の添加剤。
【請求項５】
前記化合物Ｖ１が、下記のガラス組成物構成成分（単位  重量％）：
ＳｉＯ２              ２０〜４０
ＢａＯ                ４０〜８０
ＺｒＯ２                ０〜８
Ｌｉ２Ｏ                ０〜１５
Ｐ２Ｏ５                ０〜１５
Ａｌ２Ｏ３              ０〜１０
ＣａＯ                  ０〜３０
ＭｇＯ                  ０〜３０
ＭｇＯ＋ＢａＯ＋ＣａＯ        ３０以上
ＮｉＯ                  ０〜１０
ＰｂＯ                  ０〜１０
ＺｎＯ                  ０〜１０
Ｆ                      ０〜５
を有するガラス粉末であることを特徴とする、請求項１に記載の添加剤。
【請求項６】
前記化合物Ｖ３ａまたは前記化合物Ｖ３ｃが［ＳｉＦ６］２−基を含有することを特徴とする、請求項１乃至５のいずれか１項に記載の添加剤。
【請求項７】
前記化合物Ｖ３ｂまたは前記化合物Ｖ３ｃがＭＳｉＦ６を含有し、Ｍは少なくとも１種のアルカリ土類金属元素、特にバリウムであることを特徴とする、請求項１乃至６のいずれか１項に記載の添加剤。
【請求項８】
前記化合物Ｖ３ｂまたは前記化合物Ｖ３ｃがＭＦ２を含有し、Ｍは少なくとも１種のアルカリ土類金属元素、特にバリウムであることを特徴とする、請求項１乃至７のいずれか１項に記載の添加剤。
【請求項９】
前記化合物Ｖ３が、前記化合物Ｖ１の表面に形成されることを特徴とする、請求項１乃至８のいずれか１項に記載の添加剤。
【請求項１０】
エネルギー貯蔵器の電極、電解質、またはセパレータの構成成分であることを特徴とする、請求項１乃至９のいずれか１項に記載の添加剤。
【請求項１１】
前記エネルギー貯蔵器内でＨＦと接触した状態で少なくとも前記化合物Ｖ３を形成する少なくとも１種のケイ素およびアルカリ土類金属含有化合物Ｖ１を含有することを特徴とする、請求項１乃至１０のいずれか１項に記載の添加剤。
【請求項１２】
請求項１乃至１１のいずれか１項に記載の少なくとも１種の添加剤を含有することを特徴とする、電気化学エネルギー貯蔵器。
【請求項１３】
前記エネルギー貯蔵器の電解質に接触している前記添加剤が、下記の３つの性質、即ち、前記電解質に接触しているＡｌ２Ｏ３からなる群から選択される粉末に比べて、前記選択される粉末と添加剤粉末から構成される粉末とが同じ平均粒度であるときに
−  より良好なＨＦの結合、−  より良好なＨ２Ｏの結合、
−  より少ないＨ２Ｏの放出
の少なくとも１つを有することを特徴とする、請求項１４に記載のエネルギー貯蔵器。
【請求項１４】
より良好なＨＦの結合、より良好なＨ２Ｏの結合、またはより少ないＨ２Ｏの放出を、サイクリックボルタンメトリーを用いて定性的に観察することができることを特徴とする、請求項１３に記載のエネルギー貯蔵器。
【請求項１５】
前記添加剤の３つの性質の少なくとも１つが、時間の関数として、特に前記添加剤と電解質とが接触してから２から５日後までの期間にわたり、改善されることを特徴とする、請求項１４に記載のエネルギー貯蔵器。
【請求項１６】
前記電解質が、非水性電解質、および／またはカーボネート溶媒をベースとする電解質であり、かつ／または前記電解質が、主要な塩として少なくともＬｉＰＦ６を含有することを特徴とする、請求項１２乃至１５のいずれか１項に記載のエネルギー貯蔵器。
【請求項１７】
リチウムイオンセルであることを特徴とする、請求項１２乃至１６のいずれか１項に記載のエネルギー貯蔵器。
【請求項１８】
アノード、カソード、およびセパレータを含むことを特徴とする、請求項１２乃至１７のいずれか１項に記載のエネルギー貯蔵器。
【手続補正書】
【提出日】平成27年11月12日(2015.11.12)
【手続補正１】
【補正対象書類名】特許請求の範囲
【補正対象項目名】全文
【補正方法】変更
【補正の内容】
【特許請求の範囲】
【請求項１】
ユーザが入力したテキスト情報を取得するステップと、
前記テキスト情報からキーワードを抽出し、かつ、前記キーワードに対して特別な表示を施すステップと、
ユーザの、前記キーワードに対する選択に応じて、前記キーワードに関連する機能モジュールにアクセスするステップと
を有する、文字入力方法。
【請求項２】
テキスト情報からキーワードを抽出し、かつ、前記キーワードに対して特別な表示を施すステップが、さらに、
前記テキスト情報に対し、キーワードコーパス内においてマッチング検索を実行するステップと、
前記キーワードコーパス内において前記テキスト情報内の文字符号と互いにマッチする単語があるときに、前記文字符号をキーワードとして抽出するステップと、
前記キーワードに対して特別な表示を施すステップと
を有する、請求項１に記載の方法。
【請求項３】
ユーザの、キーワードに対する選択に応じて、前記キーワードに関連する機能モジュールにアクセスするステップが、さらに、
ユーザの前記キーワードに対する選択に応じて、前記キーワードに関連する機能モジュールを包含するアプリケーションインターフェイスをユーザに提供するステップと、
ユーザの前記アプリケーションインターフェイスに対する選択に応じて、前記キーワードに関連する機能モジュールにアクセスするステップと
を有する、請求項１に記載の方法。
【請求項４】
キーワードに関連する機能モジュールにアクセスした後に、ユーザの前記機能モジュール内の内容に対する選択に応じて、前記内容を、ユーザが入力したテキスト情報内に付加するステップ
をさらに有する、請求項１に記載の方法。
【請求項５】
内容が、文字、写真、ネットワークアドレス、音声及び／又は映像を含む、請求項４に記載の方法。
【請求項６】
機能モジュールがネットワークに接続することにより提供される場合、ユーザのキーワードに対する選択に応じて、ネットワークに接続するか否かをユーザに提示し、
ユーザがネットワークに接続することを選択したときに、前記キーワードに関連する機能モジュールにアクセスする、
請求項１に記載の方法。
【請求項７】
特別な表示が、ハイライト、反転、識別色及び／又はその他の非キーワードとは異なる表示形式を含む、請求項１に記載の方法。
【請求項８】
機能モジュールが、アドレス帳、天気予報、時間、メモ、地図及び／又はブラウザを含む、請求項７に記載の方法。
【請求項９】
ユーザが入力したテキスト情報を取得するために使用される取得モジュールと、
前記テキスト情報内からキーワードを抽出し、かつ、前記キーワードに対して特別な表示を施すために使用される抽出モジュールと、
ユーザの前記キーワードに対する選択に応じて、前記キーワードに関連する機能モジュールにアクセスするために使用される応答モジュールと
を有する、文字入力システム。
【請求項１０】
抽出モジュールが、さらに、
テキスト情報に対し、キーワードコーパス内においてマッチング検索を実行するために使用されるマッチングユニットと、
前記キーワードコーパス内において前記テキスト情報内の文字符号と互いにマッチする単語があるときに、前記文字符号をキーワードとして抽出するために使用される抽出ユニットと、
前記キーワードに対して特別な表示を施すために使用される表示ユニットと
を有する、請求項９に記載のシステム。
【請求項１１】
応答モジュールが、
ユーザのキーワードに対する選択に応じて、前記キーワードに関連する機能モジュールを包含するアプリケーションインターフェイスをユーザに提供するため、及び、
ユーザの前記アプリケーションインターフェイスに対する選択に応じて、前記キーワードに関連する機能モジュールにアクセスするため
にも使用される、請求項１０に記載のシステム。
【請求項１２】
キーワードに関連する機能モジュールにアクセスした後に、ユーザの前記機能モジュール内の内容に対する選択に応じて、前記内容を、ユーザが入力したテキスト情報内に付加するために使用される内容付加モジュール
も有する、請求項９に記載のシステム。
【請求項１３】
内容が、文字、写真、ネットワークアドレス、音声及び／又は映像を含む、請求項１２に記載のシステム。
【請求項１４】
機能モジュールがネットワークに接続することにより提供される場合、応答モジュールが、ユーザのキーワードに対する選択に応じて、ネットワークに接続するか否かをユーザに提示するためにも使用され、
ユーザがネットワークにアクセスすることを選択したときに、前記キーワードに関連する機能モジュールにアクセスする、
請求項９に記載のシステム。
【請求項１５】
特別な表示が、ハイライト、反転、識別色及び／又はその他の非キーワードとは異なる表示形式を含む、請求項９に記載のシステム。
【請求項１６】
機能モジュールが、アドレス帳、天気予報、時間、メモ、地図、及び／又はブラウザを含む、請求項１５に記載のシステム。
【請求項１７】
入力領域をユーザに提供するために使用される入力パネルと、
ユーザが入力したテキスト情報を表示するために使用され、テキスト情報内のキーワードが特別な表示を採択する、第１の表示パネルと、
前記キーワードに関連する機能モジュールのショートカットアイコンを表示するための第２の表示パネルと
を有する、文字入力装置。
【請求項１８】
第２の表示パネルが、ユーザがショートカットアイコンを選択したときに、機能モジュールに関連するアプリケーションインターフェイスを通じて、キーワードに関連する情報を検索してユーザに呈示するためにも使用される、請求項１７に記載の装置。
【請求項１９】
第２の表示パネルが、ユーザが第１の表示パネル内の異なるキーワードを選択したときに、前記選択されたキーワードに関連する機能モジュールのショートカットアイコンを呈示するためにも使用される、請求項１７に記載の装置。
【請求項２０】
第２の表示パネルが、ユーザが第１の表示パネル内のキーワードを選択しなかったときに、直前に入力したキーワードに関連する機能モジュールのショートカットアイコンを呈示するためにも使用される、請求項１７に記載の装置。
【請求項２１】
コンピュータコードを含み、前記コンピュータコードが実行されると、請求項１〜８のいずれかに記載の方法が実行される、コンピュータ可読媒体。
【請求項２２】
コンピュータ機器によって実行されると、請求項１〜８のいずれかに記載の方法が実行される、コンピュータプログラムプロダクト。
【請求項２３】
記憶装置及びプロセッサを有し、前記記憶装置がコンピュータコードを記憶し、前記プロセッサが前記コンピュータコードを実行することによって、請求項１〜８のいずれかに記載の方法を実行する、コンピュータ機器。
【手続補正書】
【提出日】平成28年7月29日(2016.7.29)
【手続補正１】
【補正対象書類名】特許請求の範囲
【補正対象項目名】全文
【補正方法】変更
【補正の内容】
【特許請求の範囲】
【請求項１】
アクセラレーテッド処理デバイス（ＡＰＤ）内でネットワークメッセージを処理する方法であって、
無線周波数（ＲＦ）信号を受信することと、
受信した前記ＲＦ信号を処理するために前記ＲＦ信号を前記ＡＰＤ内の単一命令複数データ（ＳＩＭＤ）モジュールに割り当てることであって、前記ＡＰＤは複数のＳＩＭＤモジュールを含む、ことと、
割り当てられたＳＩＭＤモジュールにおいて、少なくとも１つの物理層メッセージを前記ＲＦ信号から抽出することであって、各ＳＩＭＤモジュールは、異なる種類の物理層メッセージを処理するために割り当てられる、ことと、
前記割り当てられたＳＩＭＤモジュールにおいて、抽出された少なくとも１つの物理層メッセージを処理して、前記ＲＦ信号を介して送信されたデータを取得することであって、遅延した物理層メッセージは、信号の質を改善するために処理前に組み合わされ、前記ＳＩＭＤモジュールの各々は、前記抽出された少なくとも１つの物理層メッセージの並列処理を実行する、ことと、を含む、方法。
【請求項２】
複数のＲＦ信号は、少なくとも１つのＲＦ信号がマルチパス伝搬により遅延することによって、同時に受信される、請求項１に記載の方法。
【請求項３】
送信側と受信側との間の信号を、前記送信側と前記受信側との間で一致させたコードを用いて追跡すること、をさらに含む、請求項１に記載の方法。
【請求項４】
前記ＡＰＤ内の前記ＳＩＭＤモジュールとＣＰＵとの間の通信は、オンチップ配線を経由し、
前記ＡＰＤの前記ＳＩＭＤのリソースは、前記ＲＦ信号とグラフィックス処理との間で配分される、請求項１に記載の方法。
【請求項５】
ネットワークメッセージを処理するコンピューティングシステムであって、
メモリ管理ユニットを含むＣＰＵであって、共通の基盤バスを介して、ソフトウェアアプリケーションモジュールと、オペレーティングシステムモジュールと、入出力メモリ管理ユニット（ＩＯＭＭＵ）モジュールに接続されたＣＰＵと、
無線周波数（ＲＦ）信号を受信するためにそれぞれ前記ＩＯＭＭＵモジュールに接続された複数の入出力デバイスと、
複数の単一命令複数データ（ＳＩＭＤ）モジュールを有する少なくとも１つのアクセラレーテッド処理デバイス（ＡＰＤ）であって、受信したＲＦ信号を、処理するためにＳＩＭＤモジュールに割り当てるように構成されたＡＰＤと、
前記ソフトウェアアプリケーションモジュールにアクセスするために前記基盤バスに接続されたソフトウェアスケジューラ回路（ＳＷＳ）と、
前記基盤バスに接続された割り込みコントローラ回路と、
それぞれ前記基盤バスに接続されたメモリコントローラ回路およびオペレーティングシステム回路と、を備え、
前記ＡＰＤは、前記基盤バスと、カーネルモードドライバ（ＫＭＤ）回路とに接続されており、前記ＫＭＤ回路は、前記基盤バスに接続されており、
前記メモリコントローラ回路は、前記ＩＯＭＭＵモジュールと、別のシステムメモリモジュールとに接続されており、
割り当てられたＳＩＭＤモジュールは、少なくとも１つの物理層メッセージを前記ＲＦ信号から抽出するように構成されており、
各ＳＩＭＤモジュールは、異なる種類の物理層メッセージを処理するために割り当てられており、
前記割り当てられたＳＩＭＤモジュールは、前記割り当てられたＳＩＭＤモジュールにおいて前記抽出された少なくとも１つの物理層メッセージを処理して、前記ＲＦ信号を介して送信されたデータを取得するように構成されており、
遅延した物理層メッセージは、信号の質を改善するために処理前に組み合わされ、
前記ＳＩＭＤモジュールの各々は、前記抽出された少なくとも１つの物理層メッセージの並列処理を実行する、
コンピューティングシステム。
【請求項６】
前記ＡＰＤ内の前記ＳＩＭＤモジュールは、オンチップ配線を経由して前記ＣＰＵと通信する、請求項５に記載のコンピューティングシステム。
【請求項７】
受信した前記ＲＦ信号は、セルラ信号、ＷｉＦｉ（登録商標）信号および全地球測位（ＧＰＳ）信号のうち少なくとも１つである、請求項５に記載のコンピューティングシステム。
【請求項８】
コンピュータプログラムロジックが記録されたコンピュータ可読記憶デバイスであって、コンピューティングデバイスによって前記コンピュータプログラムロジックが実行されると、前記コンピューティングデバイスに、
無線周波数（ＲＦ）信号を受信することと、
受信したＲＦ信号を、処理するために、アクセラレーテッド処理デバイス（ＡＰＤ）内の単一命令複数データモジュール（ＳＩＭＤモジュール）に割り当てることであって、前記ＡＰＤは複数のＳＩＭＤモジュールを含む、ことと、
割り当てられたＳＩＭＤモジュールにおいて、少なくとも１つの物理層メッセージを前記ＲＦ信号から抽出することであって、各ＳＩＭＤモジュールは、異なる種類の物理層メッセージを処理するために割り当てられる、ことと、
前記割り当てられたＳＩＭＤモジュールにおいて、抽出された少なくとも１つの物理層メッセージを処理して、前記ＲＦ信号を介して送信されたデータを取得することであって、遅延した物理層メッセージは、信号の質を改善するために処理前に組み合わされ、前記ＳＩＭＤモジュールの各々は、前記抽出された少なくとも１つの物理層メッセージの並列処理を実行する、ことと、を含む動作を実行させる、コンピュータ可読記憶デバイス。
【請求項９】
複数のＲＦ信号は、少なくとも１つのＲＦ信号がマルチパス伝搬により遅延することによって、同時に受信される、請求項８に記載のコンピュータ可読記憶デバイス。
【請求項１０】
前記組み合わせることは、送信側と受信側との間の信号を、前記送信側と前記受信側との間で一致させたコードを用いて追跡することをさらに含む、請求項９に記載のコンピュータ可読記憶デバイス。
【請求項１１】
受信した前記ＲＦ信号は、セルラ信号、ＷｉＦｉ（登録商標）信号および全地球測位（ＧＰＳ）信号のうち少なくとも１つである、請求項８に記載のコンピュータ可読記憶デバイス。